(57)【要約】【課題】ファクシミリ受信データ出力結果を受信者による煩雑な選別回収作業を減らすことを可能とすることで利便性の高いファクシミリシステムを提供することを目的とする。【解決手段】ファクシミリシステムは、スキャナ部１００と複数の印刷部１０１（１０１Ａ〜１０１Ｃ）とを備えている。スキャナ部１００と印刷部１０１とは、Ｂｌｕｅｔｏｏｔｈ（商標）等の相互無線通信で接続されている。ＩＥＥＥ８０２．１１プロトコルによる相互無線通信やＩＥＥＥ８０２．３プロトコルによるＥｔｈｅｒｎｅｔ（登録商標）の相互有線通信によって印刷部１０１がＥｔｈｅｒｎｅｔ（登録商標）１０４の有線ネットワークを介して、ＰＣ又は携帯端末などの端末装置１０２（１０２Ａ，１０２Ｂ）と接続されている。【選択図】図１
2005341225.tif 000002
【特許請求の範囲】
【請求項１】
電話回線からファクシミリデータを受信し、前記受信したファクシミリデータを無線通信で印刷データとして送信するスキャナ部と、前記スキャナ部から送信された前記印刷データを受信し、前記受信した印刷データを印刷する複数の印刷部とを備えたことを特徴とするファクシミリシステム。
【請求項２】
前記スキャナ部は、前記印刷部の識別情報および前記印刷部の識別情報に対応付けた前記ファクシミリデータの送信者の情報を格納した指定印刷部テーブルと、指定印刷部テーブルに基づいて、印刷データを前記電話回線から受信したファクシミリデータに含まれる送信者の情報に対応する前記印刷部へ送信する手段を備えたことを特徴とする請求項１記載のファクシミリシステム。
【請求項３】
前記スキャナ部は、前記印刷部の識別情報および前記印刷部の識別情報に対応付けた前記ファクシミリデータの受信者の情報を格納した指定印刷部テーブルと、指定印刷部テーブルに基づいて、印刷データを前記電話回線から受信したファクシミリデータに含まれる受信者の情報に対応する前記印刷部へ送信する手段を備えたことを特徴とする請求項１または２記載のファクシミリシステム。
【請求項４】
前記スキャナ部から前記印刷データを同時に複数の前記印刷部へ送信する手段を備えたことを特徴とする請求項１から３のいずれかの項に記載のファクシミリシステム。
【請求項５】
前記スキャナ部は、それぞれの前記印刷部と異なる無線周波数により通信する手段を備えたことを特徴とする請求項１から４のいずれかの項に記載のファクシミリシステム。
【請求項６】
前記スキャナ部は、前記印刷データの送信先の印刷部が印刷不可な状態であるときに、印刷可能な印刷部へ当該印刷データを送信する手段を備えたことを特徴とする請求項１から５のいずれかの項に記載のファクシミリシステム。
【請求項７】
前記スキャナ部は、前記印刷部の全てが印刷不能な状態であるときに、前記ファクシミリデータの送信元へ受信不能である旨の通知を送信する手段を備えたことを特徴とする請求項１から６のいずれかの項に記載のファクシミリシステム。
【請求項８】
前記スキャナ部は、前記印刷部の識別情報を格納した指定印刷部テーブルと、前記指定印刷部テーブルに基づいて、前記電話回線から受信したファクシミリデータに含まれる印刷部の識別情報に応じて前記印刷データを前記印刷部へ送信する手段を備えたことを特徴とする請求項１から７のいずれかの項に記載のファクシミリシステム。
【請求項９】
前記スキャナ部は、前記スキャナ部は、前記印刷部の識別情報および前記印刷部の識別情報に対応付けた前記印刷部の印刷部名を格納した指定印刷部テーブルと、前記指定印刷部テーブルに基づいて、前記電話回線から受信したファクシミリデータに含まれる印刷部名に対応する印刷部へ前記印刷データを送信する手段を備えたことを特徴とする請求項１から８のいずれかの項に記載のファクシミリシステム。
【請求項１０】
前記スキャナ部は、前記指定印刷部テーブルを設定する手段を備えたことを特徴とする請求項２から９のいずれかの項に記載のファクシミリシステム。
【請求項１１】
前記スキャナ部は、前記印刷データの送信先の印刷部からの印刷完了の通知により、印刷完了した当該印刷部の識別情報または印刷部名をファクシミリデータの送信元へ送信する手段を備えたことを特徴とする請求項９または１０に記載のファクシミリシステム。
【請求項１２】
前記スキャナ部は、前記印刷データの送信先の印刷部からの印刷完了の通知により、印刷完了した当該印刷部の識別情報または印刷部名を格納する記憶手段を備えたことを特徴とする請求項９から１１のいずれかの項に記載のファクシミリシステム。
【請求項１３】
前記スキャナ部は、前記記憶手段に格納された、印刷完了した印刷部の識別情報または印刷部名を表示する手段を備えたことを特徴とする請求項１２記載のファクシミリシステム。
【請求項１４】
前記スキャナ部は、表示された印刷完了した印刷部の識別情報または印刷部名を消去されるまで表示を保持する手段を備えたことを特徴とする請求項１３記載のファクシミリシステム。
【請求項１５】
前記スキャナ部は、表示された印刷完了した印刷部の識別情報または印刷部名を、所定時間表示を保持し、印刷完了した他の印刷部から通知に応じて表示を更新する手段を備えたことを特徴とする請求項１３または１４記載のファクシミリシステム。
【請求項１６】
前記印刷部は、前記印刷データを受信中または受信完了を示す表示手段を備えたことを特徴とする請求項１から１５のいずれかの項に記載のファクシミリシステム。
【請求項１７】
前記スキャナ部は、印刷部数を格納する手段と、印刷データを印刷部に送信するに際し、前記印刷部数を当該印刷データの送信先の印刷部へ送信する手段を備え、
前記印刷部は、前記印刷部数に応じて印刷する手段を備えたことを特徴とする請求項１から１６のいずれかの項に記載のファクシミリシステム。
【請求項１８】
前記スキャナ部の前記印刷部数を格納する手段は、前記印刷部数と前記印刷部とを対応付けて格納していることを特徴とする請求項１７記載のファクシミリシステム。
【請求項１９】
前記印刷部は、印刷可否、エラーの状態、消耗品の交換メッセージ、または通信状態の状態情報のうち少なくとも１つを状態情報として所定間隔で送信する手段を備え、
前記スキャナ部は、前記印刷部より受信した前記状態情報を受信する手段を備えたことを特徴とする請求項１から１８のいずれかの項に記載のファクシミリシステム。
【請求項２０】
前記スキャナ部は、前記印刷部から受信した前記状態情報を表示する手段を備えたことを特徴とする請求項１９記載のファクシミリシステム。
【請求項２１】
前記印刷部へ印刷データを複数の無線通信プロトコルで送信可能な少なくとも１台の無線通信装置を備え、
前記印刷部は、前記無線通信装置から送信される印刷データの無線通信プロトコルに応じて受信する手段を備えたことを特徴とする請求項１から２０のいずれかの項に記載のファクシミリシステム。
【請求項２２】
前記印刷部は、前記スキャナ部または前記無線通信装置から送信される印刷命令の優先順位を格納する手段と、前記スキャナ部および前記無線通信装置からの前記印刷命令を前記優先順位に基づいた順序で印刷する手段とを備えたことを特徴とする請求項２１に記載のファクシミリシステム。
【請求項２３】
前記印刷部は、前記スキャナ部からの印刷データの印刷が完了した際に、前記無線通信装置に印刷完了の通知を送信する手段を備えたことを特徴とする請求項２１または２２記載のファクシミリシステム。
【請求項２４】
前記無線通信装置は、前記印刷部からの印刷データを印刷完了の通知を受信する手段と、受信した印刷完了の通知を表示する手段とを備えたことを特徴とする請求項２３記載のファクシミリシステム。
【発明の詳細な説明】
【技術分野】
【０００１】
本発明は、原稿読取部及び読取データ送信部で構成されるスキャナ部と、印刷部とが無線通信により接続されたファクシミリシステムに関する。
【背景技術】
【０００２】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１規格やブルートゥース（商標）（Ｂｌｕｅｔｏｏｔｈ）規格に代表される無線通信技術の普及に伴い、機器間通信手段として無線通信技術を用いた携帯情報端末装置（Ｐｅｒｓｏｎａｌ  Ｄｉｇｉｔａｌ  Ａｓｓｉｓｔａｎｔｓ：ＰＤＡ）やノート型パソコンのような携帯機器が広く普及し、印刷機器にも無線通信インタフェースに対応したものが一般化してきている。
【０００３】
従来のファクシミリシステムとして、原稿読取部と印刷部を分離させた構造を備え、無線通信によって接続するものが（特許文献１）に記載されている。
【０００４】
ファクシミリシステムにおいては、ファクシミリデータの送受信が電話回線によって行われるため、電話回線モジュラージャック近傍に常設され、一般的には印刷部もファクシミリシステムに組み込まれるか、原稿読取部近傍に設置されている。原稿読取部と一対一の相互通信によって接続される。
【０００５】
近年のオフィス環境においては、プリンタや複写機等の印刷機器の価格下落とネットワーク等のインフラの充実によって複数の印刷機器を設置した環境となってきている。
【０００６】
また、ＭＦＰ（Ｍｕｌｔｉ  Ｆｕｎｃｔｉｏｎ  Ｐｒｉｎｔｅｒ）に代表されるようにプリンタや複写機にファクシミリデータの送受信機能やスキャナ機能を搭載した複合印刷機器も普及してきている。
【０００７】
しかしながら、一般のオフィス環境においては、複数人員がファクシミリシステム（多くは、原稿読取部と印刷部が一体となったいわゆるＦＡＸ装置）を共有して使用しているため、ファクシミリデータの受信に際しては、必ずしも受信者の近傍に設置されていない。そのため、ファクシミリシステムに出力されたファクシミリ受信データの出力結果を受信者が選別回収を行う必要がある。
【０００８】
一方、ネットワークに接続されたプリンタ等の印刷機器は、ＰＣ等のクライアントからの印刷機器として少数人数によるシェア環境によって運用されていることが多いので、プリンタが印刷者の近傍に設置されていない状態が多い。
【特許文献１】特開平５−４８７８８号公報
【発明の開示】
【発明が解決しようとする課題】
【０００９】
解決しようとする課題は、ファクシミリシステムに出力されたファクシミリ受信データ出力結果の受信者による煩雑な選別回収作業が必要な点である。
【００１０】
そこで本発明は、ファクシミリ受信データ出力結果を受信者による煩雑な選別回収作業を減らすことを可能とすることで利便性の高いファクシミリシステムを提供することを目的とする。
【課題を解決するための手段】
【００１１】
本発明のファクシミリシステムは、電話回線からファクシミリデータを受信し、前記受信したファクシミリデータを無線通信で印刷データとして送信するスキャナ部と、前記スキャナ部から送信された前記印刷データを受信し、前記受信した印刷データを印刷する複数の印刷部とを備えたことを特徴とする。
【発明を実施するための最良の形態】
【００１２】
本願の請求項１の発明は、電話回線からファクシミリデータを受信し、受信したファクシミリデータを無線通信で印刷データとして送信するスキャナ部と、スキャナ部から送信された印刷データを受信し、受信した印刷データを印刷する複数の印刷部とを備えたことを特徴としたものであり、印刷部を複数台備えることで、受信者の近傍に印刷部を設置することが可能となるので、利便性の高いファクシミリシステムとすることができる。
【００１３】
本願の請求項２の発明は、スキャナ部は、印刷部の識別情報および印刷部の識別情報に対応付けたファクシミリデータの送信者の情報を格納した指定印刷部テーブルと、指定印刷部テーブルに基づいて、印刷データを電話回線から受信したファクシミリデータに含まれる送信者の情報に対応する印刷部へ送信する手段を備えたことを特徴としたものであり、ファクシミリデータに含まれる送信者の情報に応じた印刷部へ印刷データを送信することにより送信者毎に印刷する印刷部を区分して、印刷することができるので、印刷結果回収の際に利便性の高いファクシミリシステムとすることが可能となる。
【００１４】
本願の請求項３の発明は、スキャナ部は、印刷部の識別情報および印刷部の識別情報に対応付けたファクシミリデータの受信者の情報を格納した指定印刷部テーブルと、指定印刷部テーブルに基づいて、印刷データを電話回線から受信したファクシミリデータに含まれる受信者の情報に対応する印刷部へ送信する手段を備えたことを特徴としたものであり、ファクシミリデータに含まれる送信者の情報に応じた印刷部へ印刷データを送信することにより受信者ごとに印刷する印刷部を区分して、印刷することができるので、印刷結果回収の際に利便性の高いファクシミリシステムを提供することが可能となる。
【００１５】
本願の請求項４の発明は、スキャナ部から印刷データを同時に複数の印刷部へ送信する手段を備えたことを特徴としたものであり、同時に印刷データを複数の印刷部へ送信することにより、複数箇所への同時配布することができるので、印刷結果の配布作業の際に利便性の高いファクシミリシステムを提供することが可能となる。
【００１６】
本願の請求項５の発明は、スキャナ部は、それぞれの印刷部と異なる無線周波数により通信する手段を備えたことを特徴としたものであり、それぞれの印刷部と異なる無線周波数により通信することにより、無線通信によってスキャナ部と複数の印刷部とを接続するができ、複数印刷部への配信ができるので、利便性の高いファクシミリシステムとするが可能となる。
【００１７】
本願の請求項６の発明は、スキャナ部は、印刷データの送信先の印刷部が印刷不可な状態であるときに、印刷可能な印刷部へ当該印刷データを送信する手段を備えたことを特徴としたものであり、これにより送信先に対して印刷不可状態を軽減することができるので、利便性の高いファクシミリシステムとするが可能となる。
【００１８】
本願の請求項７の発明は、スキャナ部は、印刷部の全てが印刷不能な状態であるときに、ファクシミリデータの送信元へ受信不能である旨の通知を送信する手段を備えたことを特徴としたものであり、これにより送信先に対して印刷不可状態を軽減することができるので、利便性の高いファクシミリシステムとすることが可能となる。
【００１９】
本願の請求項８の発明は、スキャナ部は、印刷部の識別情報を格納した指定印刷部テーブルと、指定印刷部テーブルに基づいて、電話回線から受信したファクシミリデータに含まれる印刷部の識別情報に応じて印刷データを印刷部へ送信する手段を備えたことを特徴としたものであり、ファクシミリデータに含まれる印刷部の識別情報に対応する印刷部へ印刷データを送信することにより、送信先から受信者近傍の印刷部への印刷を指定することができるので、印刷結果回収の際に利便性の高いファクシミリシステムを提供することが可能となる。
【００２０】
本願の請求項９の発明は、スキャナ部は、印刷部の識別情報および印刷部の識別情報に対応付けた印刷部の印刷部名を格納した指定印刷部テーブルと、指定印刷部テーブルに基づいて、電話回線から受信したファクシミリデータに含まれる印刷部名に対応する印刷部へ印刷データを送信する手段を備えたことを特徴としたものであり、ファクシミリデータに含まれる印刷部名に対応する印刷部へ印刷データを送信することにより、送信先から印刷名によって印刷部を指定することからことができるので、より利便性の高いファクシミリシステムを提供することが可能となる。
【００２１】
本願の請求項１０の発明は、スキャナ部は、指定印刷部テーブルを設定する手段を備えたことを特徴としたものであり、これによりスキャナ部から印刷部を指定することができるので、印刷結果回収の際に利便性の高いファクシミリシステムを提供することが可能となる。
【００２２】
本願の請求項１１の発明は、スキャナ部は、印刷データの送信先の印刷部からの印刷完了の通知により、印刷完了した当該印刷部の識別情報または印刷部名をファクシミリデータの送信元へ送信する手段を備えたことを特徴としたものであり、印刷完了をファクシミリデータの送信者へ送信することにより、送信者が、印刷完了した印刷部を容易に知ることができるので、利便性の高いファクシミリシステムとすることができる。
【００２３】
本願の請求項１２の発明は、スキャナ部は、印刷データの送信先の印刷部からの印刷完了の通知により、印刷完了した当該印刷部の識別情報または印刷部名を格納する記憶手段を備えたことを特徴としたものであり、記憶手段が、印刷完了した印刷部の識別情報または印刷部を格納することにより、スキャナ部で印刷完了した印刷部情報を保持することができるので、印刷結果回収の際にファクシミリシステムの利便性を向上することができる。
【００２４】
本願の請求項１３の発明は、スキャナ部は、記憶手段に格納された、印刷完了した印刷部の識別情報または印刷部名を表示する手段を備えたことを特徴としたものであり、表示する手段が、印刷完了した印刷部の識別情報または印刷部名を表示することにより、スキャナ部へ印刷完了した印刷部の識別情報または印刷部名を表示することによって受信者が印刷部を容易に知ることができるので、印刷結果回収の際の利便性を向上することができる。
【００２５】
本願の請求項１４の発明は、スキャナ部は、表示された印刷完了した印刷部の識別情報または印刷部名を消去されるまで表示を保持する手段を備えたことを特徴としたものであり、表示を保持する手段が、表示された印刷完了した印刷部の識別情報または印刷部名を消去されるまで表示することにより、印刷完了した印刷部の識別情報または印刷部名を消去されるまで表示を保持することができるので、印刷完了結果を喪失することなく印刷結果回収の際の利便性を向上することができる。
【００２６】
本願の請求項１５の発明は、スキャナ部は、表示された印刷完了した印刷部の識別情報または印刷部名を、所定時間表示を保持し、印刷完了した他の印刷部からの通知に応じて
表示を更新する手段を備えたことを特徴としたものであり、印刷完了した他の印刷部からの通知に応じて表示を更新することにより、印刷完了結果を自動更新することも可能としているので、煩雑に発生する印刷完了結果に混乱することを防ぎ、印刷結果回収の際の利便性を向上することができる。
【００２７】
本願の請求項１６の発明は、印刷部は、印刷データを受信中または受信完了を示す表示手段を備えたことを特徴としたものであり、これにより受信者近傍に設置された印刷部に受信中または、受信完了を表示することができるので、印刷結果回収の際の利便性を向上することができる。
【００２８】
本願の請求項１７の発明は、スキャナ部は、印刷部数を格納する手段と、印刷データを印刷部に送信するに際し、印刷部数を当該印刷データの送信先の印刷部へ送信する手段を備え、印刷部は、印刷部数に応じて印刷する手段を備えたことを特徴としたものであり、印刷部数が指定できることにより印刷部数を可変可能としているので印刷結果の配布作業を軽減でき、利便性の高いファクシミリシステムを提供することができる。
【００２９】
本願の請求項１８の発明は、スキャナ部の印刷部数を格納する手段は、印刷部数と印刷部とを対応付けて格納していることを特徴としたものであり、印刷部数と印刷部とを対応付けて格納することにより、印刷部と印刷部数を対応つけることができるので、更に印刷結果の配布作業を軽減でき、利便性の向上ができる。
【００３０】
本願の請求項１９の発明は、印刷部は、印刷可否、エラーの状態、消耗品の交換メッセージ、または通信状態の状態情報のうち少なくとも１つを状態情報として所定間隔で送信する手段を備え、スキャナ部は、印刷部より受信した状態情報を受信する手段を備えたことを特徴としたものであり、スキャナ部が状態情報を受信することにより、スキャナ部で印刷部の状態情報を取得でき、スキャナ部で印刷部を選択可能とすることで、利便性の高いファクシミリシステムとすることができる。
【００３１】
本願の請求項２０の発明は、スキャナ部は、印刷部から受信した状態情報を表示する手段を備えたことを特徴としたものであり、スキャナ部が受信した印刷情報を表示することにより、使用者がスキャナ部から印刷部の状態を知ることができるので、利便性の高いファクシミリシステムとすることができる。
【００３２】
本願の請求項２１の発明は、印刷部へ印刷データを複数の無線通信プロトコルで送信可能な少なくとも１台の無線通信装置を備え、印刷部は、無線通信装置から送信される印刷データの無線通信プロトコルに応じて受信する手段を備えたことを特徴としたものであり、複数の無線プロトコルで印刷データを送信可能な無線通信装置を備えることにより、印刷部は、スキャナ部及び無線通信装置からの印刷を出力ことができるので、利便性の高いファクシミリシステムを提供することができる。
【００３３】
本願の請求項２２の発明は、印刷部は、スキャナ部または無線通信装置から送信される印刷命令の優先順位を格納する手段と、スキャナ部および無線通信装置からの印刷命令を優先順位に基づいた順序で印刷する手段とを備えたことを特徴としたものであり、印刷部が優先順位に基づいて、スキャナ部および無線通信装置からの印刷命令を印刷することにより、スキャナ部と無線通信装置からの印刷命令に印刷優先順位を設定することができるので、利便性の高いファクシミリシステムとすることができる。
【００３４】
本願の請求項２３の発明は、印刷部は、スキャナ部からの印刷データの印刷が完了した際に、無線通信装置に印刷完了の通知を送信する手段を備えたことを特徴としたものであり、印刷部が無線通信装置に印刷完了の通知を送信することにより、受信者は、無線通信
装置で印刷完了を知ることができるので、利便性の高いファクシミリシステムとすることができる。
【００３５】
本願の請求項２４の発明は、無線通信装置は、印刷部からの印刷データを印刷完了の通知を受信する手段と、受信した印刷完了の通知を表示する手段とを備えたことを特徴としたものであり、無線通信装置に印刷部からの印刷完了の通知を受信して表示する手段を備えたことにより、受信者は、無線通信装置で印刷完了を知ることができるので、利便性の高いファクシミリシステムとすることができる。
【００３６】
（実施の形態１）
本発明の実施の形態１に係るファクシミリシステムを図１に基づいて説明する。図１は本発明の実施の形態１におけるファクシミリシステムの構成を説明する図である。図２は同スキャナ部の構成を説明する図である。
【００３７】
図１に示すように、ファクシミリシステムは、スキャナ部１００と複数の印刷部１０１（１０１Ａ〜１０１Ｃ）とを備えている。スキャナ部１００と印刷部１０１とは、Ｂｌｕｅｔｏｏｔｈ等の相互無線通信で接続されている。
【００３８】
また、ＩＥＥＥ８０２．１１プロトコルによる相互無線通信やＩＥＥＥ８０２．３プロトコルによるＥｔｈｅｒｎｅｔ（登録商標）の相互有線通信によって印刷部１０１がＥｔｈｅｒｎｅｔ（登録商標）１０４の有線ネットワークを介して、ＰＣ又は携帯端末などの端末装置１０２（１０２Ａ，１０２Ｂ）と接続されている。
【００３９】
ファクシミリデータを受信した際、電話回線１０３を介して受信したファクシミリデータは、複数の印刷部１０１に対してＢｌｕｅｔｏｏｔｈ等の相互無線通信を通じて適切な印刷部１０１に印刷データを送信し、ファクシミリデータの印刷結果を得るものである。
【００４０】
図２に示すように、スキャナ部は、ファクシミリデータ送受信部２１９及び印刷データ送信部２２０から構成される。
【００４１】
ファクシミリデータ送受信部２１９は、電話回線２１６に接続されている。ファクシミリデータ送信時は、ＣＰＵ２０１によってスキャナエンジン制御部２０４を介して制御されるスキャナエンジン２０７と、原稿読取センサであるＣＩＳ（Ｃｏｎｔａｃｔ  Ｉｍａｇｅ  Ｓｅｎｓｏｒ）方式等で校正されるＣＩＳ２０８とによって原稿のイメージデータが読み取られる。そして読み取られたイメージデータであるファクシミリ送信データは、スキャナ画像処理部２０９で、２値化処理及び画像補正を施した後、アナログ変復調のためのＭＯＤＥＭ２１０及び回線制御部２１１を介して電話回線２１６に伝送される。
【００４２】
また、ファクシミリデータ受信時は、電話回線２１６からＭＯＤＥＭ２１０及び回線制御部２１１を介してファクシミリデータとして取り込まれ、揮発性メモリ等で構成されるＲＡＭ２０３内に一旦格納される。格納されたファクシミリデータはＣＰＵ２０１によって印刷データのみが抽出され、Ｂｌｕｅｔｏｏｔｈプロトコルへのデータ変復調のためのＢｌｕｅｔｏｏｔｈベースバンド処理部２１３と２．４ＧＨｚ高周波部２１２とによって構成される印刷データ送信部２２０を介して印刷部１０１に印刷データとして送信される。
【００４３】
スキャナ部１００と印刷部１０１は、無線通信によって印刷データの送受信を行い、分離構造によって構成されている。また、スキャナ部１００は複数の印刷部１０１との通信及び印刷データの送信が可能である。
【００４４】
図３は、本発明の実施の形態１における印刷部１０１の構成を説明する図である。スキャナ部１００からの印刷データは、一般には、２値イメージの形式で送信される。ただし、本実施の形態では、イメージ形式のデータをランレングス等の圧縮手法による２値の圧縮データ又は、一旦、ＰＤＬ（Ｐａｇｅ  Ｄｅｓｃｒｉｐｔｉｏｎ  Ｌａｎｇｕａｇｅ）等の印刷言語に変換したデータとしているが、他の形式としてよい。
【００４５】
スキャナ部１００から送信された印刷データは、Ｂｌｕｅｔｏｏｔｈ／ＩＥＥＥ８０２．１１ベースバンド処理部３０８及び２．４ＧＨｚ高周波部３０７を介してデータ受信され、ＲＡＭ３０３に一時保管される。
【００４６】
無線接続された複数の印刷部１０１は、例えばスキャナ部１００と、異なる無線通信で使用される無線周波数で相互通信され、スキャナ部１００と複数の印刷部１０１が無線通信によって通信される。このように無線相互通信で接続されたスキャナ部１００と複数の印刷部１０１で構成され、ファクシミリ受信データを印刷出力する印刷部を指定せしめるファクシミリシステムを提供するものである。また、接続された複数の印刷部１０１に対して同一のファクシミリ受信データを無線相互通信によって、複数の印刷部１０１に送信することによってファクシミリデータの同時配信ができる。
【００４７】
このときに、スキャナ部１００と複数の印刷部１０１Ａ、１０１Ｂ、１０１Ｃとは、それぞれの印刷部１０１と異なる無線周波数により通信することで、スキャナ部１００から同時に複数の印刷部１０１へ印刷データを送信して印刷することができる。例えば、スキャナ部１００と各印刷部の無線接続に使用される無線周波数を印刷部１０１Ａを２．４１２ＧＨｚ、印刷部１０１Ｂを２．４１７ＧＨＺ、印刷部１０１Ｃを２．４２２ＧＨｚに割り当てることによって相互通信するものである。
【００４８】
ＲＡＭ３０３に一時保管された印刷データの形式がＰＤＬ形式又は圧縮されたデータである場合は、印刷イメージのデータをＣＰＵ３０１が再変換する。そして再変換された印刷イメージは、Ｉ／Ｏ制御部３０９及び印刷エンジン制御部３１０を介して、印刷エンジン３１１に印刷出力データとして送信される。このとき印刷エンジン３１１は、レーザー方式、インクジェット方式あるいは、他の印刷方式であっても良い。
【００４９】
また、印刷部１０１は、ＰＣまたは、携帯端末などの端末装置１０２と有線通信又は、無線通信によって相互通信接続を可能としているので、端末装置１０２からの印刷も可能である。印刷部１０１と端末装置１０２との接続が有線接続の場合、印刷部１０１は、セントロニクス（商標）、ＵＳＢ又は、ＩＥＥＥ８０２．３によって規格化されたＥｔｈｅｒｎｅｔ（登録商標）等のインタフェースにＩ／Ｆ制御部３０５を介して接続し、端末装置１０２と相互通信することが可能である。
【００５０】
端末装置１０２からの印刷データは、スキャナ部１００からの印刷データ同様に、ＲＡＭ３０３上に印刷イメージの形式に変換され、印刷エンジン制御部３１０を介して印刷エンジン３１１に送信され印刷される。
【００５１】
スキャナ部１００と印刷部１０１、及び印刷部１０１と端末装置１０２の両接続を無線接続とすることを可能である。無線接続の場合、印刷部１０１は、ＩＥＥＥ８０２．１１規格等の無線インタフェースにＢｌｕｅｔｏｏｔｈ／ＩＥＥＥ８０２．１１ベースバンド処理部３０８及び２．４ＧＨｚ高周波部３０７を介して端末装置１０２に接続する。Ｂｌｕｅｔｏｏｔｈ／ＩＥＥＥ８０２．１１ベースバンド処理部３０８は、ＢｌｕｅｔｏｏｔｈとＩＥＥＥ８０２．１１の通信プロトコルを切替えて送受信することが可能であり、例えば、スキャナ部１００との接続にＢｌｕｅｔｏｏｔｈを使用したり、端末装置１０２との接続にＩＥＥＥ８０２．１１規格のプロトコルを使用したりして、スキャナ部１００と
端末装置１０２との接続を区分けすることができる。Ｂｌｕｅｔｏｏｔｈによって接続された端末装置１０２から受信された印刷データは、有線接続の場合同様に、ＲＡＭ３０３上に印刷イメージの形式に変換され、印刷エンジン３１１に送信され、印刷出力結果を得ることができる。
【００５２】
印刷部１０１は、無線接続されたスキャナ部１００からの印刷命令及び有線または無線接続された端末装置１０２からの印刷命令に対して、印刷優先順位を設定することができる。印刷優先順位は、端末装置１０２に予めインストールされたプリンタドライバ等のユーティリティを介して、印刷部１０１に対し設定を行うか、印刷部１０１の入力部３０４ｂから入力することによって可能である。印刷優先順位は、例えばスキャナ部１００からの優先順位を高く設定した場合、スキャナ部１００からの印刷命令と端末装置１０２からの印刷命令が同時に発生した場合、スキャナ部１００の印刷命令を優先して実行するものである。
【００５３】
優先順位は、印刷部１０１の入力部３０４ｂから使用者によって設定されるか、接続された端末装置３１７，３１８（図３参照）の入力部から予め、不揮発性メモリで構成されるハードディスクあるいは、ＲＯＭ等に保存されたプリンタドライバ等のユーティリティを介して設定される。
【００５４】
印刷部１０１は、印刷命令の発信元の優先順位に応じて、例えば、スキャナ部１００を優先設定した場合、スキャナ部１００からの印刷命令実行中は、端末装置３１７，３１８からの印刷命令は待たされる処理となり、端末装置３１７，３１８を優先設定した場合は、端末装置３１７，３１８からの印刷命令実行中は、スキャナ部１００からの印刷命令は待たされる。
【００５５】
これによって、使用者の使用状態にあわせた、ファクシミリシステムは、ファクシミリとＰＣ又は携帯端末等である端末装置の印刷端末として併用することできるように、印刷部１０１における優先度設定を可能としている。
【００５６】
また、図１に示すように、印刷部１０１の印刷状態や、印刷結果の情報を前述の有線又は無線のインタフェースを通じ、端末装置１０２へ伝達することも可能である。端末装置１０２の印刷状態や、印刷結果の情報は、予めインストールされたプリンタドライバ等のユーティリティを介して、端末装置１０２と印刷部１０１間の相互通信によって端末装置１０２から取得可能である。スキャナ部からのファクシミリデータの印刷を完了した際、印刷部１０１から予め、ファクシミリ受信通知先として設定された端末装置１０２に対してファクシミリ受信通知を送信するもので、更に、ファクシミリ受信通知を受信した端末装置１０２において、端末装置１０２の表示部にファクシミリ受信通知を表示することが可能であり、端末装置１０２の表示によって使用者に印刷状態や、印刷結果の情報を知ることができる。
【００５７】
ファクシミリ受信通知先の設定は、端末装置１０２に予めインストールされたプリンタドライバ等のユーティリティから印刷部１０１に対して設定するか、印刷部１０１の入力部３０４ｂから設定することができる。端末装置１０２への通知は、印刷部１０１の不揮発性メモリで構成されるＲＯＭ３０２上に設定されたファクシミリ受信通知テーブルを参照し、通知先の端末装置１０２を決定する。
【００５８】
ファクシミリ受信通知テーブルは、図７に本発明の実施の形態１におけるファクシミリ受信通知テーブルを説明する図として示しているように、例えば送信者名、ＦＡＸ番号に対して、通知先の端末装置名、端末装置アドレス（ＩＰアドレス）によって構成される。例えば、送信者Ａの場合は、ＰＣ１（ＩＰアドレス：ａａａａ．ａａａ．ａａａ．ａａａ
），ＰＣ６（ＩＰアドレス：ｆｆｆ．ｆｆｆ．ｆｆｆ．ｆｆｆ）への通知、送信者Ｂの場合は、ＰＣ２（ＩＰアドレス：ｂｂｂ．ｂｂｂ．ｂｂｂ．ｂｂｂ），ＰＣ３（ＩＰアドレス：ｃｃｃ．ｃｃｃ．ｃｃｃ．ｃｃｃ），ＰＣ４（ＩＰアドレス：ｄｄｄ．ｄｄｄ．ｄｄｄ．ｄｄｄ），ＰＣ６（ＩＰアドレス：ｆｆｆ．ｆｆｆ．ｆｆｆ．ｆｆｆ）への通知というような設定が可能である。端末装置１０２での使用者へのファクシミリ受信通知は、送信者名または、ＦＡＸ番号とファクシミリを受信した旨のメッセージを端末装置のディスプレイ上にポップアップすることによって使用者に知らしめることができる。
【００５９】
図５は、本発明の実施の形態１におけるファクシミリシステムの外観図で、ファクシミリデータ送受信部及び印刷データ送信部で構成されるスキャナ部１００と印刷部１０１（１０１Ａ〜１０１Ｃ）から構成される本発明一実施例のファクシミリシステムの構成を示している。
【００６０】
スキャナ部１００と印刷部１０１は分離構造となっており、スキャナ部１００は、メッセージ及び送信番号等を表示可能とする表示部５０１を備え、無線通信のためのスキャナ部無線アンテナ１００Ａ１とファクシミリ原稿読取を行うスキャナエンジン部５０２、英数字等の入力キーによって構成されるファクシミリ送信番号の入力及び印刷部アドレス設定のための入力部５０３から構成される。
【００６１】
印刷部１０１は、ファクシミリデータ受信印刷出力中又は完了時に点滅する点滅ランプ又は、ＬＣＤ等で構成される表示部５１２Ａ，５１２Ｂ，５１２Ｃと、英数字又は、カーソル入力キーで構成される入力部５１０Ａ，５１０Ｂ，５１０Ｃと、無線通信のための印刷部無線アンテナ１０１Ａ１，１０１Ｂ１，１０１Ｃ１と印刷出力を行うプリンタエンジン部５１１Ａ，５１１Ｂ，５１１Ｃから構成される。この印刷部無線アンテナ１０１Ａ１，１０１Ｂ１，１０１Ｃ１は、内蔵型のアンテナでも可能である。
【００６２】
次に、このように構成された本発明の実施の形態に係るファクシミリシステムの動作を図２〜図６に基づいて説明する。
【００６３】
本発明の実施の形態に係るファクシミリシステムによれば、図４のファクシミリデータ受信シーケンスに示すように、ファクシミリ送信側から送信されたファクシミリデータは、スキャナ部１００で受信され、印刷データの形式に変換し、スキャナ部１００の揮発性メモリで構成されるＲＡＭ３０３等の記憶媒体に一時保存される。
【００６４】
印刷データの形式は印刷イメージ、ＰＤＬ等の印刷言語、イメージデータの圧縮形式のいずれであっても良い。また、スキャナ部１００から印刷部１０１に対する印刷部数を設定することができる。ファクシミリデータからファクシミリ送信者又は、受信者の指定コードを抽出し、予め、スキャナ部の不揮発性メモリで構成されるＲＯＭ２０２等に作成された図６に示される指定印刷部テーブルと照合を行い、複数の印刷部１０１のうち、出力すべき印刷部１０１と印刷出力部数を決定する。
【００６５】
指定印刷部テーブルの印刷部数は、スキャナ部１００の入力部２０５ｂから使用者によって印刷部１０１ごとに設定することができる。例えば、ファクシミリデータの送信者Ａの場合、印刷部１０１Ａに２部，印刷部１０１Ｂに３部，印刷部１０１Ｃに１部とすることができる。あるいは、ファクシミリデータの送信者Ｂの場合、印刷部１０１Ａに１部，印刷部１０１Ｂに２部，印刷部１０１Ｃに０部のようにファクシミリデータ送信者ごとに指定の印刷部１０１に対して印刷部数を指定し印刷出力することができる。
【００６６】
図６は、本発明の実施の形態１における指定印刷部テーブルを説明する図である。印刷部１０１の指定は、ファクシミリデータ送信者ごとに出力印刷部を指定するもので、ファ
クシミリデータ送信者は、送信元のＦＡＸ番号によって決定付けられる。このとき、指定印刷部テーブルへ図６の例では、予めＦＡＸ番号と関連付け記憶保存されたファクシミリデータ送信者名とスキャナ部１００と印刷部１０１間の無線接続における印刷部アドレスによって対応付けられている印刷部名と各印刷部１０１への出力部数を記憶保存することが可能である。
【００６７】
ファクシミリデータ送信時に受信者情報を例えば、コード化して付与し、ファクシミリデータと合わせて送信する。受信者情報の付与は、スキャナ部１００のＲＡＭ等で構成される不揮発性メモリ上に一時保存された原稿読取データをファクシミリ送信する際、ＣＰＵ２０１によって付与し送信される。受信者情報の設定は、入力部５０３から入力することができる。受信者情報を含むファクシミリデータは、スキャナ部１００で受信される際、予め、受信者コード（本実施の形態では、コード化した受信者情報としたが、受信者名としても良い、なお図６においては図示せず）と出力印刷部を関連付け記憶保存された指定印刷部テーブルに基づいて指定された印刷部数印刷する。又、ファクシミリデータに受信側のスキャナ部１００と印刷部１０１間の印刷部アドレスを付与し、指定印刷部テーブルで設定された出力部数に基づいて印刷する。予め、印刷部アドレスと関連付け印刷部名を付与し、スキャナ部１００の入力部５０３から設定を行い、指定印刷部テーブルに記憶保存する。ファクシミリデータ送信時に送信先の指定印刷部テーブルに記憶された印刷部名をファクシミリデータに付与して送信し、受信側で指定印刷部テーブルに基づいた指定印刷部に出力する。スキャナ部１００の入力部５０３から使用者が前記印刷部アドレス又は、印刷部名を設定できるものである。
【００６８】
図４は本発明の実施の形態１におけるファクシミリデータ受信シーケンス図で、ファクシミリデータの送受信シーケンスは、このように複数の印刷部１０１Ａ、１０１Ｂとスキャナ部１００が無線通信で接続され、印刷部１０１Ａ、１０１Ｂが、端末装置１０２Ａ，１０２Ｂに接続された場合の送受信シーケンスを表したものである。
【００６９】
次に、図４の接続印刷部の検索では、複数の印刷部１０１の無線接続状態と印刷部のエラーの状態、消耗品の交換メッセージなどの状態を無線相互通信によって印刷可否の検証を実施する。印刷可否の検証として印刷部情報取得は、スキャナ部１００から無線接続された印刷部１０１全ての印刷可否、エラーの状態、消耗品の交換メッセージ、通信状態の情報を状態情報として取得することによって検証される。状態情報の情報取得は、スキャナ部１００と印刷部１０１の定期相互通信によって実施される。このとき、指定印刷部テーブルによって出力指定された印刷部が、印刷不能の場合、又は接続されていない場合、スキャナ部１００の表示部３０４ａにメッセージを表示し、使用者に通知することができる。
【００７０】
スキャナ部１００で受信されたファクシミリデータは、スキャナ部１００の揮発性メモリで構成されるＲＡＭ３０３またはハードディスク等の記憶媒体にファクシミリデータを印刷部１０１が印刷可能になるまで一時保存しておくことが可能である。指定の印刷部１０１が、無線接続または、印刷不能の状態であって、他の印刷部１０１が印刷可能な状態であった場合、他の印刷部１０１へ印刷出力するか、スキャナ部１００の揮発性メモリで構成されるＲＡＭ３０３またはハードディスク等の記憶媒体にファクシミリ受信データを一時保存しておくことも可能である。
【００７１】
スキャナ部１００は、指定された印刷部が印刷不能の状態であっても接続された印刷部１０１のうち少なくとも１台の印刷部が印刷可能であれば、ファクシミリデータ受信可能と判断し、印刷可能な印刷部から印刷できる。印刷可能な印刷部１０１に出力する場合、使用者がスキャナ部１００の入力部２０５ｂから代理の出力印刷部を予め指定しておくか、発生時に使用者が代理出力印刷部を入力することによって可能である。また、接続され
た全ての印刷部１０１が印刷不能であるときに限って、ファクシミリ受信不能と判断し、送信者に対して受信不能通知を送信する。
【００７２】
印刷出力された印刷部の印刷部アドレス、又は印刷部名をファクシミリデータ送信者に知らしめることができる。スキャナ部１００は、印刷を実行した印刷部と無線相互通信によって印刷情報を取得可能であり、印刷部アドレスは、スキャナ部１００と印刷部１０１間で使用されるネットワークＩＰアドレスであって、前記ＩＰアドレスと対応付けて付与可能な印刷部名又は、印刷部アドレスをファクシミリ受信通知を送信する際、スキャナ部１００から送信者に対して付与し送信する。印刷部名の設定付与は、スキャナ部１００の入力部５０３から直接入力することができ、スキャナ部１００の不揮発性メモリで構成されるＲＯＭ２０２に保存蓄積される。
【００７３】
印刷出力された印刷部１０１の履歴をスキャナ部１００に保存蓄積することが可能である。印刷出力された印刷部の印刷部アドレス又は、印刷部名をスキャナ部１００のＲＯＭ２０２に保存することによって可能である。また、このＲＯＭ２０２に保存された印刷部アドレスまたは印刷部名は、スキャナ部１００の表示部５０１に表示させることができる。
【００７４】
また、スキャナ部１００の表示部５０１に表示された印刷部アドレスまたは、印刷部名は入力部５０３から使用者が表示状態の消去操作を行うまで表示状態を保持するか、一定時間表示をし、自動的に消去することも可能である。一定時間のカウントはスキャナ部１００のＣＰＵ２０１によって可能となる。
【００７５】
指定印刷部が印刷可能である場合、スキャナ部１００から印刷部１０１に対して印刷部数を指示し、指定された印刷部に対して印刷データを送信する。印刷データの送信は、複数の印刷部１０１に対して送信可能である。印刷データを受信した印刷部１０１は、印刷エンジンに合わせて、印刷イメージに変換し、指定印刷部数の印刷出力を行う。
【００７６】
印刷部１０１は、ファクシミリデータを受信完了又は、受信中の状態を示す受信データの受信完了または受信中を受信者に通知するために、表示部３０４ａのランプを点滅又は点灯させるか、表示部３０４ａにファクシミリデータを受信完了または、受信中である旨のメッセージを表示することも可能である。
【００７７】
印刷部１０１でファクシミリデータを受信完了した場合、スキャナ部１００に無線相互通信によって、ファクシミリデータ受信完了通知を行う。スキャナ部１００は、スキャナ部１００の表示部２０５ａにファクシミリ受信完了を示すメッセージを表示することによって、スキャナ部１００の設置場所でもファクシミリ受信状況を使用者が知ることができるとともに、スキャナ部１００から電話回線を通じてファクシミリ送信者に対してファクシミリデータ受信完了を通知することによって、ファクシミリデータ送信者は、正常に受信完了したことを確認することができる。
【００７８】
このように構成されたファクシミリシステムとファクシミリ送受信シーケンスによって使用者の最適受信と出力結果回収の利便性向上の効果を得ることができ、ファクシミリ受信データの出力結果の受信者の煩雑な回収作業を軽減することができる。
【００７９】
以上、本発明の実施の形態について説明してきたが、本発明は前記実施の形態に限定されるものではなく、本実施の形態では無線通信接続によってスキャナ部と印刷部とが分離構成されたファクシミリシステムとしたが、ファクシミリ受信機能を有した電子黒板や、デジタル複合機、プリンタ装置、また将来的にはＩＰＶ６等の規格に対応した印刷機能を有するデジタルテレビなどのデジタル家電全般に適用することもできる。
【産業上の利用可能性】
【００８０】
本発明のファクシミリシステム無線接続された複数の印刷部に対してファクシミリデータを配信出力することを可能とするもので、使用者の最適受信と出力結果回収の際の利便性を向上させる効果を奏し、ファクシミリ受信を要するあらゆる移動体端末からの受信印刷の用途にも適用できるものである。
【図面の簡単な説明】
【００８１】
【図１】本発明の実施の形態１におけるファクシミリシステムの構成を説明する図
【図２】本発明の実施の形態１におけるスキャナ部の構成を説明する図
【図３】本発明の実施の形態１における印刷部の構成を説明する図
【図４】本発明の実施の形態１におけるファクシミリデータ受信シーケンス図
【図５】本発明の実施の形態１におけるファクシミリシステムの外観図
【図６】本発明の実施の形態１における指定印刷部テーブルを説明する図
【図７】本発明の実施の形態１におけるファクシミリ受信通知テーブルを説明する図
【符号の説明】
【００８２】
１００    スキャナ部（ＦＡＸステーション）
１００Ａ１    スキャナ部無線アンテナ
１０１，１０１Ａ〜１０１Ｃ    印刷部
１０１Ａ１〜１０１Ｃ１    印刷部無線アンテナ
１０２，１０２Ａ〜１０２Ｂ    端末装置
１０３    電話回線
１０４    Ｅｔｈｅｒｎｅｔ（登録商標）（ＩＥＥＥ８０２．３規格）
１０５    無線ネットワーク（Ｂｌｕｅｔｏｏｔｈ）
２０１    ＣＰＵ
２０２    ＲＯＭ
２０３    ＲＡＭ
２０４    スキャナエンジン制御部
２０５ａ    表示部
２０５ｂ    入力部
２０６    電源部
２０７    スキャナエンジン
２０８    ＣＩＳ（原稿読取センサ）
２０９    スキャナ画像処理部
２１０    ＭＯＤＥＭ
２１１    回線制御部
２１２    ２．４ＧＨｚ高周波部
２１３    Ｂｌｕｅｔｏｏｔｈベースバンド処理部
２１５    内部バス
２１６    電話回線
２１７    印刷部
２１８    Ｂｌｕｅｔｏｏｔｈインタフェース
２１９    ファクシミリデータ送受信部
２２０    印刷データ送信部
３０１    ＣＰＵ
３０２    ＲＯＭ
３０３    ＲＡＭ
３０４ａ    表示部
３０４ｂ    入力部
３０５    Ｉ／Ｆ制御部
３０６    電源部
３０７    ２．４ＧＨｚ高周波部
３０８    Ｂｌｕｅｔｏｏｔｈ／ＩＥＥＥ８０２．１１ベースバンド処理部
３０９    Ｉ／Ｏ制御部
３１０    印刷エンジン制御部
３１１    印刷エンジン
３１２    内部バス
３１３    有線インタフェース
３１４    ＩＥＥＥ８０２．１１規格プロトコルの無線インタフェース
３１５    Ｂｌｕｅｔｏｏｔｈプロトコルの無線インタフェース
３１７，３１８    端末装置
３１９    スキャナ部
５０１    表示部
５０２    スキャナエンジン部
５０３    入力部
５１０Ａ〜５１０Ｃ    入力部
５１１Ａ〜５１１Ｃ    プリンタエンジン部
５１２Ａ〜５１２Ｃ    表示部
【図１】
2005341225.tif 000003
【図２】
2005341225.tif 000004
【図３】
2005341225.tif 000005
【図４】
2005341225.tif 000006
【図５】
2005341225.tif 000007
【図６】
2005341225.tif 000008
【図７】
2005341225.tif 000009